【手続補正書】
【提出日】平成18年6月20日(2006.6.20)
【手続補正１】
【補正対象書類名】明細書
【補正対象項目名】請求項１
【補正方法】変更
【補正の内容】
【請求項１】  第１の積載手段に積載・整合したシート束を排出する排出手段と、
前記排出手段により排出されたシート束を積載するものであって上下動可能な第２の積載手段と、
前記排出されるシート束と前記第２の積載手段間に進退自在であって通常は収納位置にあり、前記排出手段によるシート束の排出時に、前記第２の積載手段側の進出位置に作動して、排出されるシート束の原稿の位置する出没トレイと、
前記出没トレイを駆動する出没トレイ駆動手段と、
前記出没トレイ駆動手段の動作を制御する制御手段と、
を備え、
前記制御手段は、前記出没トレイが、前記第１の積載手段からのシート束の束排出開始時に進出位置に位置し、束排出開始から所定時間経過後に前記収納位置に退避開始し、かつ、前記シート束が前記排出手段から離脱する直前に退避を完了するように制御することを特徴とするシート処理装置。
【手続補正２】
【補正対象書類名】明細書
【補正対象項目名】請求項３
【補正方法】変更
【補正の内容】
【請求項３】  前記第１の積載手段から前記第２の積載手段へ排出されるシート束の最下紙、もしくは、束内の少なくとも１枚以上がＺ折りシートであることを特徴とする請求項２記載のシート処理装置。
【手続補正３】
【補正対象書類名】明細書
【補正対象項目名】請求項４
【補正方法】変更
【補正の内容】
【請求項４】  前記出没トレイ駆動手段は、前記出没トレイと一体であってシート搬送方向と交差する方向のガイド溝に遊合しているコロを自由端に有する駆動レバーと、前記駆動レバーを正逆回転自在に駆動する出没トレイモータと、を有し、
前記出没トレイモータの正転時に前記出没トレイを進出位置に作動させ、逆転時に前記出没トレイを収納位置に退避させることを特徴とする請求項１又は２記載のシート処理装置。
【手続補正４】
【補正対象書類名】明細書
【補正対象項目名】請求項６
【補正方法】変更
【補正の内容】
【請求項６】  前記第２の積載手段の上下動の異常を検知する検知手段を有し、前記検知手段により前記第２の積載手段の上下動の異常を検知した場合、前記出没トレイモータを逆転させて前記出没トレイを収納位置に退避させることを特徴とする請求項３記載のシート処理装置。
【手続補正５】
【補正対象書類名】明細書
【補正対象項目名】請求項７
【補正方法】変更
【補正の内容】
【請求項７】  請求項１ないし６いずれか記載のシート処理装置と、シートに画像情報に基づく画像を形成する画像形成手段と、前記画像形成手段により画像形成されたシートを折り処理する折り処理部と、前記折り処理部により折り処理されたシートを前記シート処理装置に排出する排出手段と、を有することを特徴とする画像形成装置。
【手続補正６】
【補正対象書類名】明細書
【補正対象項目名】０００１
【補正方法】変更
【補正の内容】
【０００１】
【発明の属する技術分野】
本発明は、シート処理装置に係り、詳細には、例えば、搬送ローラ対により排出されるシートを処理トレイ上で積載・整合し、シート束を第２の排出手段により第２の積載手段に積載時、シート束の下側を保持する出没トレイを備えるシート処理装置及びこれを備える画像形成装置に関する。
【手続補正７】
【補正対象書類名】明細書
【補正対象項目名】０００９
【補正方法】変更
【補正の内容】
【０００９】
しかしながら、図１２(b) のように、出没トレイの進出位置が、出没トレイのＴ０Ｐ位置（最大進出位置）より手前（６２５Ａ）の場合、出没トレイモータＭ１４は、一方向駆動のため、スタックトレイ７００との衝合により、出没トレイ６２０が動作不良を生じる場合も考えられる。
【手続補正８】
【補正対象書類名】明細書
【補正対象項目名】００１１
【補正方法】変更
【補正の内容】
【００１１】
【課題を解決するための手段】
請求項１に係る発明は、第１の積載手段に積載・整合したシート束を排出する排出手段と、
前記排出手段により排出されたシート束を積載するものであって上下動可能な第２の積載手段と、
前記排出されるシート束と前記第２の積載手段間に進退自在であって通常は収納位置にあり、前記排出手段によるシート束の排出時に、前記第２の積載手段側の進出位置に作動して、排出されるシート束の原稿の位置する出没トレイと、
前記出没トレイを駆動する出没トレイ駆動手段と、
前記出没トレイ駆動手段の動作を制御する制御手段と、
を備え、
前記制御手段は、前記出没トレイが、前記第１の積載手段からのシート束の束排出開始時に進出位置に位置し、束排出開始から所定時間経過後に前記収納位置に退避開始し、かつ、前記シート束が前記排出手段から離脱する直前に退避を完了するように制御することを特徴とする。
【手続補正９】
【補正対象書類名】明細書
【補正対象項目名】００１３
【補正方法】変更
【補正の内容】
【００１３】
請求項３に係る発明は、前記第１の積載手段から前記第２の積載手段へ排出されるシート束の最下紙、もしくは、束内の少なくとも１枚以上がＺ折りシートであることを特徴とする。
【手続補正１０】
【補正対象書類名】明細書
【補正対象項目名】００１４
【補正方法】変更
【補正の内容】
【００１４】
請求項４に係る発明は、前記出没トレイ駆動手段は、前記出没トレイと一体であってシート搬送方向と交差する方向のガイド溝に遊合しているコロを自由端に有する駆動レバーと、前記駆動レバーを正逆回転自在に駆動する出没トレイモータと、を有し、
前記出没トレイモータの正転時に前記出没トレイを進出位置に作動させ、逆転時に前記出没トレイを収納位置に退避させることを特徴とする。
【手続補正１１】
【補正対象書類名】明細書
【補正対象項目名】００１６
【補正方法】変更
【補正の内容】
【００１６】
請求項６に係る発明は、前記第２の積載手段の上下動の異常を検知する検知手段を有し、前記検知手段により前記第２の積載手段の上下動の異常を検知した場合、前記出没トレイモータを逆転させて前記出没トレイを収納位置に退避させることを特徴とする。
【手続補正１２】
【補正対象書類名】明細書
【補正対象項目名】００４９
【補正方法】変更
【補正の内容】
【００４９】
インサータ９００は、インサートトレイ（載置手段）９０１にセットされたシートを、プリンタ部３００を通さずに、サンプルトレイ７０１、スタックトレイ７００、排出トレイ２４６のいずれかに給送するためのものである。なお、本実施の形態では、インサータ９００のインサートトレイ９０１には、ユーザによりフェイスアップの状態（表面が上の状態）で表紙、または、インサートシート用のシートＩがセットされるものとする。ユーザにより、インサートトレイ９０１上に積載されたシートＩは、１枚ずつ順次分離され、フィニッシャパス２３３、または、製本パス２３４へ搬送される。以下にインサータ（給紙装置）９００の構成を図３により説明する。
【手続補正１３】
【補正対象書類名】明細書
【補正対象項目名】００５０
【補正方法】変更
【補正の内容】
【００５０】
インサートトレイ９０１に載置されたインサートシートＩ（図３（ｂ）図）は、給紙ローラ（給紙手段）９０２により、搬送ローラ９０３及び分離ベルト９０４で構成される分離部に搬送される。９２３は、シート束を整合する整合板を示している。そして、搬送ローラ９０３及び分離ベルト９０４により最上部のシートから１枚ずつ分離される。そして、分離されたシートは、分離部に近接する引き抜きローラ対９０５により引き抜かれ、搬送ローラ９２１によりシート搬送路９２２を搬送される。搬送されるインサートシートＩは、排出口９２２ａから装置本体のシート搬送路２３０の搬入口２３０ａに搬入される。上記ａ排出口９２２ａ近傍のシート搬送路９２２と、シート搬送路２３０とは、ほぼ直線状になっていて、排出口９２２ａと搬入口２３０ａとは、対向する位置に合流している。
【手続補正１４】
【補正対象書類名】明細書
【補正対象項目名】００５１
【補正方法】変更
【補正の内容】
【００５１】
インサートトレイ９０１の端部には、補助トレイ９３０が支軸９３１により回動自在に設けられている。図３（ａ）は、補助トレイ９３０が収納位置に閉じた状態、（ｂ）図は進出位置に開放した状態、図３（ｃ）図は、（ａ）図のＣ−Ｃ線断面を示している。補助トレイ９３０を使用する際には、補助トレイ９３０を（ｂ）図に示すように進出位置に開いた状態に回動される。
【手続補正１５】
【補正対象書類名】明細書
【補正対象項目名】００５２
【補正方法】変更
【補正の内容】
【００５２】
補助トレイ９３０は、載置板９３０ａとその裏面に一体的に設けられたリブ９３０ｂとを有している。図３（ｃ）に示すように、リブ９３０ｂの高さは、補助トレイ９３０が、（ａ）図に示す収納位置にある時には、インサートシートの給紙を不能とする高さに形成されている。
【手続補正１６】
【補正対象書類名】明細書
【補正対象項目名】００５３
【補正方法】変更
【補正の内容】
【００５３】
この結果、補助トレイ９３０を（ａ）図に示すように閉じた状態（収納状態）では、インサートシートＩは、インサートトレイ９０１に載置できないようになっており、インサートトレイ９０１を使用する際には、この補助トレイ９３０を必ず開放した状態で使用しなければならないようになっている。
【手続補正１７】
【補正対象書類名】明細書
【補正対象項目名】００６５
【補正方法】変更
【補正の内容】
【００６５】
排出トレイ２４６（図２）には、ストッパ２５２の底板２５２ａが排出方向に移動自在に設けられており、底板２５２ａに設けられたガイド溝２５６はガイドリブ２５５にスライド自在に支持されている。ストッパモータＭ１５の回転駆動力は、出力軸と一体のプーリ２５７、ベルト２６０、プーリ２５９を介して、プーリ２５９と一体のギア２６１に伝達され、更に、このギア２６１に噛合する２段ギア２６２、２６３に伝達される。上記ギア２６３は、上記底板２５２ａの側部に形成されたラック２５２ｂに噛合している。これにより、ストッパモータＭ１５の正逆回転により、ストッパ２５２は、製本されたシート束の排出方向に移動自在になっている。
【手続補正１８】
【補正対象書類名】明細書
【補正対象項目名】００６８
【補正方法】変更
【補正の内容】
【００６８】
図１０において、綴じ処理及び２つ折り処理して製本されたシート束Ｐ０は、排出ローラ２４５により排出トレイ２４６に排出される時、その上部は、押えレバー２４９、重り２５１、及び突起２４９ａにより下側に押えられながら排出される。排出されるシート束Ｐ０が、次第に増加していくと、ストッパ２５２が矢印２ａ方向に少しずつ移動していて、シート束は、（ｂ）図に示すようにずれた状態で積載されていく。これにより、シート束が高くなり過ぎたり、排出されるシート束が、前のシート束内に潜り込む動作なく適正に積載される。
【手続補正１９】
【補正対象書類名】明細書
【補正対象項目名】００７６
【補正方法】変更
【補正の内容】
【００７６】
同図（ａ）図において、スタックトレイ７００の上面、又はこれに積載されたシートの上面は、紙面検知手段２２により検知される。この紙面検知手段２２による紙面の検知により、スタックトレイ７００は、所定量ａ上昇されるように制御される（ｂ）図。なお、処理トレイ６３０に搬送・排出される最初のシート、すなわち、シートも最下位がＺ折りシートであることは、Ｚ折りシート検知手段２９（図１１）により検知される。上記の出没トレイ６２０の出没動作の制御は、制御装置２０（図１１）により行われる。これにより、処理トレイ６３０上のシート束Ｐ０は、その折り重ね部Ｐｅが、図１６（ｂ）図に示すように折曲することなく、図１５（ｃ）図に示すように、適正にスタックトレイ７００上に積載されることができる。